(57)【特許請求の範囲】
【請求項１】
L字状断面が形成された一対の平面部と、該断面の端部を構成する一の辺縁に沿って形成された係止部と、該端部を構成する他の辺縁に沿って該辺縁から所定距離だけ離間させて形成された止着部とを備え、
前記平面部は、ステンレス又はプラスチックにより一体成型され、一方は天面部を形成し、他方は見付け面部を形成するものであり、
前記係止部は、前記天面部と垂直に前記辺縁の内側に形成された壁面部、該天面部と平行に該辺縁の外側に形成された板状部、及び該壁面部と該板状部との間を斜面でつなぐスロープ部を有するものであって、
前記係止部及び前記止着部を土台又は床下地材に固定して前記平面部と該土台又は該床下地材との間に空洞が形成されるように設置する一方、該床下地材に上張りする床仕上材を該係止部に差し込んで、該床仕上材を前記天面部と面一に係止することを特徴とする上がり框。
【請求項２】
前記平面部それぞれの裏面に二つの面を当接させた矩形断面を有する芯材の、他の一つの面を前記床下地材又は前記土台に接着した後、前記係止部及び前記止着部を前記土台又は前記床下地材に固定して前記見付け面部と該土台又は該芯材との間に空洞が形成されるように設置することを特徴とする請求項１記載の上がり框。
【請求項３】
前記天面部は、前記床仕上材よりも厚みが薄く、該天面部と前記板状部との間隔は、該床仕上材の厚みよりも大きく、前記壁面部の高さは、該床仕上材の厚みよりも小さいことを特徴とする請求項１又は２記載の上がり框。
【請求項４】
高床面と低床面との段差部に設置される床見切り材であって、
断面に曲線部分と直線部分とが形成された曲面部と、該断面の該直線部分側の端部を構成する辺縁に沿って形成された係止部とを備え、
前記係止部は、前記直線部分と垂直に前記辺縁の内側に形成された壁面部、該直線部分と平行に該辺縁の外側に形成された板状部、及び該壁面部と該板状部との間を斜面でつなぐスロープ部を有するものであって、
前記高床面を形成する高床板の下地材に固定した前記係止部に該高床板を差し込んで、該高床板を前記曲面部と面一に係止する一方、前記曲線部分側の端部を構成する辺縁を前記低床面に当接させることを特徴とする床見切り材。
【発明の詳細な説明】
【技術分野】
【０００１】
本発明は、玄関の土間と床との段差部若しくは階段と踊り場との段差部に設置する上がり框、及び床と床との段差部に設置する床見切り材に関する。
【背景技術】
【０００２】
従来、玄関の土間と床との段差部、あるいは階段と踊り場の段差部には上がり框が設けられる。すなわち上がり框は、目立つところに設けられるので、隣接設置される床板との間に隙間や段差がないように、微調整する必要がある。一般的に、無垢材、合板、集成材などの木質材に化粧材を接着して一体化し、面取や塗装を施したものが使用される。例えば玄関に設置する玄関框は、予め床板下地材の厚さに合わせて切欠部を設け、土台に沿わせた框の切欠部に床板下地材を挿入すると共に接着して固定する。そして、框と床板との間に隙間や段差が生じないように床板を設置する。その場合、床板の上面や切口を鉋で削るなどの微調整が必要となるため、熟練を要する上、手間暇がかかる。また、框は、室内造作の初期段階に施工され、建築材の搬入時に傷を付ける恐れがあり、シートなどで養生する必要がある。
【０００３】
そこで、天面に嵌合凸部が形成されたベース材と、その上に冠着する化粧材とにより框を構成し、養生が不要となる工事の最終段階で化粧材を取り付ける一方、ベース材は、床材の厚さに合わせて切欠き、床材をベース材の嵌合凸部に突き当てた後、化粧材の天面部を被せることで床材の切断面における不揃い等により隙間が生じても、天面部で隠れるように構成された框が開示されている（特許文献１参照）。また、框の天面部を、床仕上材と同じ材質、同じ模様の部材を用いた実つぎ構造にすることにより、框と床仕上材が一体的に接合できるように形成し、段差や隙間が生じないようにした床仕上構造が開示されている（特許文献２参照）。
【０００４】
しかしながら、框や床板に養生がなされたとしても、養生材を設置するのに手間がかかるうえ、養生材の隙間からゴミや水が侵入して框に傷をつけたり、変色やカビなどが生じる恐れがある。
そこで、L字状断面を有するようにプラスチック等で成形された薄板状ベース材と薄板状化粧材とで着脱自在に構成し、水平下地材と垂直下地材とで形成されたコーナーにそれらを被せ、薄板状化粧材で水平下地材の上に張られた床板の先端縁部上面を覆う框が開示されている（特許文献３参照）。
この方法によれば、床板と框との間に段差が生じるのを防止することができるとともに、建築作業の最終段階で薄板状ベース材に薄板状化粧材を取り付ければよいので養生が不要である。
【０００５】
しかしながら、薄板状化粧材が撓んだり、破損する恐れがある上、薄板状ベース材を設置する水平下地材及び垂直下地材の表面を平らに削る作業が必要である。
また、高床面と低床面との段差部においては、歩行者等がつまずいて怪我をしないように床見切り材が設置されるが、低床面にベース材を固定設置し、そのベース材に被せる蓋部材の両端を高床面又は低床面に当接し、中間に設けた係合片をベース材に係合させて固定する構造の床見切り材が開示されている（特許文献４参照）。
【先行技術文献】
【特許文献】
【０００６】
【特許文献１】特開平１０−２８０８１６号公報
【特許文献２】特開２００１−８１９５０号公報
【特許文献３】特開２００１−２２７１４８号公報
【特許文献４】特開２００２−３３９５５０号公報
【発明の概要】
【発明が解決しようとする課題】
【０００７】
上記事情に鑑み、本発明は、現場加工を施す必要がない上、床板との接合部分に隙間や段差が生じる恐れや、傷、変色、カビが生じる恐れがなく、構造が簡単で、軽量な上がり框及び見切り材を提供することを目的とする。
【課題を解決するための手段】
【０００８】
本発明の上がり框は、L字状断面が形成された一対の平面部と、該断面の端部を構成する一の辺縁に沿って該辺縁の内側に形成された係止部と、該端部を構成する他の辺縁に沿って該辺縁から所定距離だけ離間させて形成された止着部とを備え、上記係止部を床下地材に固定し、上記止着部を土台に固定して中空に設置する一方、該床下地材に上張りする床仕上材を上記係止部に係止することを特徴とする。
このように、板状部材を折り曲げて形成した、断面がL字状の上がり框の辺縁に、床仕上材を係止する係止部、及び辺縁から離間させた止着部を設け、土台や床下地材にそれらを固定することにより中空に設置するので、構造が簡単で軽量である。また床板は、上がり框の辺縁の内側で係止されるので、隙間や段差が生じる恐れがない。
【０００９】
ここで、上記平面部それぞれの裏面に二つの面を当接させた矩形断面を有する芯材の、他の一つの面を上記床下地材又は上記土台に接着した後、上記係止部及び上記止着部それぞれを固定することもできる。
このように、中空に設置された上がり框の上部側に、断面が矩形の芯材を設置すれば、天面部や見付け面部に大きな力が加わっても上がり框が撓んだり、つぶれたりするのを防止できる。
また上記平面部は、ステンレス又はプラスチックにより一体成型されたものであって、一方は天面部を形成し、他方は見付け面部を形成することもできる。
このように、上がり框をステンレス又はプラスチックで一体成型すれば、框に傷、変色、カビが生じる恐れがない。
さらに、上記係止部は、上記天面部の辺縁に沿って、該辺縁の内側に形成され、該天面部に垂直な壁面部と、該辺縁の外側に形成され、該天面部に平行な板状部と、該壁面部及び該板状部の間を斜面でつなぐスロープ部とを有し、該板状部により上記床下地材に固定され、上記床仕上材を、上記天面部と面一に係止することが好ましく、上記天面部は、上記床仕上材よりも厚みが薄く、該天面部と上記板状部との間隔は、該床仕上材の厚みよりも大きく、上記壁面部の高さは、該床仕上材の厚みよりも小さいことが好ましい。
このように、係止部にスロープを設ければ、床板を係止部に差し込んだとき、床板の上面は天面部に密着して係止される一方、天面部の厚みは床板の厚みよりも薄いので、床板は、天面部と面一になり、段差が生じない。また、床板は、辺縁の内側で係止されるので床板と上がり框との間に隙間が生じない。
ここで、上記平面部又は上記見付け面部の表面は、模様若しくは色彩又はそれらの結合が印刷され又は塗布されたものとすることができる。
このようにすれば、上がり框を周囲の色彩や材質に調和させることや、高級感を持たせることができる。
【００１０】
本発明の床見切り材は、高床面と低床面との段差部に設置される床見切り材であって、断面に曲線部分と直線部分とが形成された曲面部を有し、該断面の端部を構成する該直線部分側の辺縁に沿って、該辺縁の内側に係止部が形成され、該係止部に上記高床面を形成する高床板を上記曲面部と面一に係止する一方、該曲線部分側の辺縁を上記低床面に当接させることを特徴とする。
ここで、上記係止部は、上記辺縁の内側に形成され、上記直線部分に垂直な壁面部と、該辺縁の外側に形成され、該直線部分に平行な板状部と、該壁面部と該板状部との間を斜面でつなぐスロープ部とを有し、該板状部により上記高床板の下地材に固定されることが好ましい。
このように、曲面部断面の端部を構成する曲線部分側辺縁を低床面に当接させる一方、直線部分側辺縁に沿って、該辺縁の内側に形成された係止部に、高床面を形成する高床板を係止するので、高床面と低床面との段差を小さくすることができるうえ、高床面と床見切り材との段差や隙間をなくすことができる。
【発明の効果】
【００１１】
本発明の上がり框によれば、構造が簡単で、軽量なうえ、床板との接合部分に隙間や段差が生じる恐れがない。また、ステンレス又はプラスチックで一体成型したものを用いれば、傷、変色、カビが生じる恐れがない。さらに、本発明の床見切り材によれば、高床面と低床面との段差を小さくすることができるうえ、高床面との段差や隙間をなくすことができる。
【図面の簡単な説明】
【００１２】
【図１】図１は、第一の実施形態の上がり框を玄関に適用した玄関框の一例を示す正面図である。
【図２】図２は、第一の実施形態の上がり框を玄関に適用した玄関框の一例を示す断面図である。
【図３】図３は、第一の実施形態の上がり框を玄関に適用した玄関框の断面における一方の端部周辺の部分拡大図である。
【図４】玄関の土間と床との段差部に設置した第一の実施形態の玄関框の一例を示す図である。
【図５】図５は、第一の実施形態の上がり框を階段の踊り場に適用した階段框の一例を示す断面図である。
【図６】図６は、第一の実施形態の上がり框を階段の踊り場に適用した階段框断面の拡大図である。
【図７】図７は、第二の実施形態の上がり框を玄関に適用した玄関框の一例を示す図である。
【図８】図８は、断面の曲線部分が弓形をした第三の実施形態の床見切り材を示す図である。
【図９】図９は、断面の曲線部分が弓形をした第三の実施形態の床見切り材の拡大図である。
【図１０】図１０は、断面の曲線部分がL字形をした第三の実施形態の床見切り材を示す図である。
【発明を実施するための形態】
【００１３】
以下に、本発明の上がり框及び床見切り材の実施形態について、図に基づいて説明する。
[第一の実施形態]
図１〜図３は、第一の実施形態の上がり框を玄関に適用した玄関框の一例を示す図であり、図１は玄関框の正面図、図２は玄関框の断面図、図３は玄関框の断面における一方の端部周辺の部分拡大図である。
図１及び図２に示すように、本実施形態の玄関框1は、L字状の断面が形成された天面部１０及び見付け面部２０（本発明の「一対の平面部」に相当する。）を有する。そして、L字状の断面の一方の端部を構成している天面部の辺縁１１に沿って、その辺縁１１よりも内側に、床仕上材（又は床化粧材）を係止する係止部３０が形成されている。また、L字状の断面の他方の端部を構成している見付け面部の辺縁２１に沿って、その辺縁から所定距離Lだけ離間させて、ねじ又は釘で留める複数の止着部２２が一定の間隔を開けて形成されている。
ここで、本実施形態の止着部２２は、狭幅に設定され、一定の間隔で複数形成されているが、止着部２２は、必ずしも狭幅に形成する必要はなく、見付け面部２０の横幅と同じに設定してもよい。
天面部１０及び見付け面部２０は、厚みが１ｍｍ程度の矩形のステンレス板を断面が略L字状をなすように面取りして折り曲げることで一体的に形成される。そして、天面部１０及び見付け面部２０の表面に、木目模様などが印刷されたシートを貼付してもよいし、表面に直接、模様や色を焼付け印刷、あるいは塗布してもよい。
係止部３０は、厚みが例えば１ｍｍ程度の帯状のステンレス板の短手方向の断面に、天面部１０と垂直な壁面部３１、天面部１０と平行な板状部３２、及び壁面部３１と板状部３２との間を傾斜面でつなぐスロープ部３３が形成されたものを、天面部の辺縁１１に沿って、辺縁１１よりも内側の裏面に壁面部３１を溶接することにより形成される。そして、板状部３２をねじ又は釘で床下地材に留めることにより天面部１０を固定することができる。
【００１４】
図３に拡大図を示す係止部３０の、天面部１０と板状部３２との間隔Dは、床仕上材の厚みよりも大きく、壁面部３１の高さは、床仕上材の厚みよりも小さくなるように設定されている。従って、床仕上材の先端を壁面部に向けて差し込むと、床仕上材の厚みが天面部１０とスロープ部３３との間隔に等しくなるまで床仕上材の先端がスロープ部３３を滑り、天面部１０とスロープ部３３とに挟持されて係止される。そして、ステンレス板は、厚みが例えば１ｍｍ程度と床仕上材よりもはるかに薄くなっているので、天面部１０と床仕上材とはほぼ面一になる。
また、床仕上材の先端は、天面部の辺縁１１よりも内側で挟持されるので、床仕上材の切口の状態にかかわらず、床仕上材と玄関框１との間に隙間や段差が生じない。また、係止部３０がこのような構造を採用しているので、床仕上材が含有する水分量に応じて伸長、伸縮が繰り返されても、その伸縮部分をスロープ部３３で吸収し、隙間が生じない。
止着部２２は、見付け面部の辺縁２１を折り曲げ、コの字を逆向きに組み合わせた断面形状にして見付け面部の辺縁２１から、例えば３０ｍｍ程度離間させ、一定の間隔で複数形成されている。
ここで、本実施形態の玄関框１は、ステンレスを板金加工又はプレス加工し、裏面に帯状部材を溶接して作成されているが、必ずしもステンレスで作成する必要はなく、プラスチックを押出し成型あるいは射出成型して作成してもよい。
【００１５】
図４は、玄関の土間と床との段差部に設置した第一の実施形態の玄関框の一例を示す図である。
図４に示すように、基礎コンクリート４１の上に、パッキン材４２を介して土台４３が設置され、土台４３の直上から玄関フロアの奥側に向け、床下地材４５が設置されている。そして、玄関框１の天面部の辺縁１１に沿って、辺縁の内側に溶接された係止部３０を構成する板状部３２を床下地材にねじ止めして天面部１０が固定される。また、見付け面部の辺縁２１に沿って、その辺縁２１から例えば３０ｍｍ程度離間させた止着部２２を土台４３にねじ止めして見付け面部２０が固定される。従って、本実施形態の玄関框１の内部に空洞Ｃが形成されるが、見付け面部２０と土台４３との離間距離は３０ｍｍ程度であることから、天面部２０に相当程度の力が加わっても変形することはない。
次に、天面部の辺縁１１に沿って形成された係止部３０のスロープ部３３と天面部１０とで形成された空間に床仕上材４６の先端を差し込む。その場合、床仕上材４６の先端裏面側にブチルゴムテープ４９を貼って差し込むことにより、床仕上材４６と板状部３２との間に隙間が生じないようにしてもよい。
また、見付け面部２０の直下には、土間４０が形成されており、土間４０から垂直に基礎コンクリート４１の前面をモルタル３８で塞ぎ、その上に土間４０から連続的にタイル３９を貼って化粧する。その場合、モルタル３８に貼ったタイル３９の先端は、止着部２２のコの字部分に隠れるように施工する。なお、止着部２は、見付け面部２０から一定間隔Lだけ離間させて形成され、止着部２２が形成されていない部分には空洞Cとの流通路が形成されている。従って、玄関框１により土台４３周りが塞がれても土台４３が腐朽するのを防止できる。
【００１６】
図５及び図６は、第一の実施形態の上がり框を階段の踊り場に適用した階段框の一例を示す図であり、図５は階段框の断面図、図６は階段框断面の拡大図である。
図５及び図６に示すように、本実施形態の階段框２は、玄関框１と同様に、L字状の断面が形成された天面部１０及び見付け面部２０を有する。そして、L字状の断面の一方の端部を構成している天面部の辺縁１１に沿って、その辺縁１１よりも内側に、床仕上材（又は床化粧材）４６を係止する係止部３０が形成されている。
係止部３０は、厚みが例えば１ｍｍ程度の帯状のステンレス板の短手方向の断面に、天面部１０と垂直な壁面部３１、天面部１０と平行な板状部３２、及び壁面部３１と板状部３２との間を傾斜面でつなぐスロープ部３３により形成されている。
また、L字状の断面の他方の端部を構成する見付け面部の辺縁２１に沿って、その辺縁２１から所定距離Lだけ離間させて止着部２２が形成されている。
しかしながら、玄関框１に較べると、見付け面部２０よりも天面部１０の面積の方が広い上、見付け面部２０よりも内側に蹴込板３７が設置される点が相違する。従って、階段框２は、見付け面部の辺縁２１に沿って、その辺縁２１から離間させて形成される止着部２２との間に、コの字形をした蹴込板の係合部２３が形成されている。
階段框２は、係合部２３を蹴込板３７に係合させた後、止着部２２及び板状部３２をねじ又は釘で固定し、中空に設置される。そして、踊り場の床仕上材４６を壁面部３１に向けて差し込むと、床仕上材４６の厚みが天面部１０とスロープ部３３との間隔に等しくなるまでスロープ部３３を摺動し、天面部１０とスロープ部３３とに床仕上材４６が挟持されて係止される。また、ステンレス板は、床仕上材４６よりもはるかに薄くなっているので、天面部１０と床仕上材４６とはほぼ面一になる。さらに、床仕上材４６は、天面部の辺縁１１よりも内側で挟持されるので、床仕上材４６の切口の状態にかかわらず、床仕上材４６と階段框２との間に隙間や段差が生じない。
【００１７】
[第二の実施形態]
第一の実施形態の上がり框においては、天面部と見付け面部とによって空洞が形成されるが、第二の実施形態の上がり框においては、空洞の上部にパッキン材、木材、あるいは金属などの芯材が挿入され、強度が補強されるように構成されている。以下には、玄関框の一例について説明し、階段框については、図及び説明を省略する。
図７は、第二の実施形態の上がり框を玄関に適用した玄関框の一例を示す図である。
図７に示すように、基礎コンクリート４１の上に、パッキン材４２を介して土台４３が設置され、土台４３の直上から玄関フロアの奥側に向け、床下地材４５が設置されている。
本実施形態の矩形断面を有する芯材５０を、玄関框３と同じ横幅に裁断し、裁断された芯材５０の二つの面に玄関框３の天面部１０及び見付け面部２０の裏面それぞれを当接させる。そして、芯材５０の他の一つの面に接着剤を付け、玄関框３の係止部３０が床下地材４５に当接し、天面部１０が床下地材４５に平行になるようにして芯材５０を床下地材４５及び土台４３に接着して固定する。そして、係止部３０を構成する板状部３２を床下地材４５にねじ止めして天面部１０を固定し、止着部２２を土台４３にねじ止めして見付け面部２０を固定することにより、芯材５０の下方に空洞Cが形成される。
ここで、本実施形態の芯材５０は、玄関框３と同じ横幅に裁断したものを用いているが、芯材５０は、必ずしも玄関框３と同じ横幅である必要はなく、それよりも短幅の芯材５０を複数箇所、床下地材４５及び土台４３に接着して固定してもよい。また、芯材５０としては、衝撃吸収性のパッキン材、あるいは木材やステンレス柱などを用いることができる。玄関框３の横幅が大きい場合や天面部１０の奥行きが長い場合には、天面部１０と見付け面部２０とによって形成される空洞Cに、芯材５０を入れ、横幅全体又は横方向の複数箇所を補強すれば、玄関框や階段框などの上がり框が撓んだり、つぶれたりするのを防止することができる。
【００１８】
[第三の実施形態]
第三の実施形態の床見切り材は、高床面と低床面との段差部に設置される曲面部を有する部材であって、断面の端部を構成する一の辺縁に沿って、辺縁の内側に係止部が形成される点は、第一の実施形態及び第二の実施形態の上がり框と共通し、他の辺縁に沿って止着部が形成されない点は第一の実施形態及び第二の実施形態の上がり框と相違する。
図８〜図１０は、第三の実施形態の床見切り材を示す図であり、図８は断面の曲線部分が弓形をした床見切り材を示す図、図９は断面の曲線部分が弓形をした床見切り材の拡大図、図１０は、断面の曲線部分がL字形をした床見切り材を示す図である。
図８及び図９に示すように、本実施形態の一例の床見切り材３は、高床面と低床面との段差部に設置される部材で、断面に弓形の曲線部分５と直線部分６とが形成された曲面部４を有する。そして、曲面部４断面の端部を構成する直線部分側の辺縁１６に沿って、その辺縁の内側に係止部３０が形成されている。
係止部３０には、直線部分６に垂直な壁面部３１と、直線部分６に平行な板状部３２と、壁面部３１及び板状部３２の間をつなぐ傾斜面からなるスロープ部３３とが形成されている。
そして、曲面部４断面の端部を構成する曲線部分側の辺縁１５を水平面上に載置すると、板状部３２全体がその水平面に接触するように曲線部分５の曲率半径が調整されている。
曲面部４は、厚みが１ｍｍ程度の矩形のステンレス板の断面に、弓形の曲線部分５と直線部分６が形成されるように片側を曲げることによって形成される。曲面部４の表面は、木目模様などが印刷されたシートを貼付してもよいし、模様や色を焼付け印刷、あるいは塗布してもよい。
【００１９】
図１０に示すように、本実施形態の他の例の床見切り材３は、高床面と低床面との段差部に設置される部材で、断面にL字形の曲線部分５と直線部分６とが形成された曲面部４を有し、その断面の端部を構成する直線部分側の辺縁１６に沿って、その辺縁の内側に係止部３０が形成されている。
係止部３０には、直線部分６に垂直な壁面部３１と、直線部分６に平行な板状部３２と、壁面部３１及び板状部３２の間をつなぐ傾斜面からなるスロープ部３３とが形成されている。
そして、曲面部４断面の端部を構成する曲線部分側の辺縁１５を水平面上に載置すると、板状部３２全体がその水平面に接触するように曲線部分５の曲がり角度あるいは高さが調整されている。
【００２０】
図８〜図１０に示すように、係止部３０は、厚みが例えば１ｍｍ程度の帯状のステンレス板の短手方向の断面に、曲面部４断面に形成された壁面部３１と、板状部３２と、壁面部３１及び板状部３２の間をつなぐスロープ部３３とが形成され、その壁面部３１を、曲面部４断面の直線部分側の辺縁１６に沿って、その辺縁１６の内側の裏面に溶接することにより形成される。そして、板状部３３をねじ又は釘で留めることにより床見切り材３を床下地材４５に固定する。
本実施形態の床見切り材３における係止部３０の板状部３２と曲面部４の直線部分６との間隔Dは、床仕上材４６の厚みよりも大きく、壁面部３１の高さは、床仕上材４６の厚みよりも小さくなっている。従って、高床面を構成する床仕上材４６を壁面部３１に差し込むと、床仕上材４６の厚みが曲面部４の直線部分６と係止部３０のスロープ部３３との間隔に等しくなるまでスロープ部３３を摺動し、床仕上材４６は、曲面部４とスロープ部３３とに挟持されて係止される。そして、ステンレス板は、厚みが例えば１ｍｍ程度と床仕上材４６よりもはるかに薄くなっているので、曲面部４の直線部分６と床仕上材４６とはほぼ面一になる。
また、高床面の床仕上材４６の先端は、曲面部４の直線部分の辺縁１６よりも内側で挟持されるので、床仕上材４６の切口の状態にかかわらず、床仕上材４６と見切り材３との間に隙間や段差が生じない。
ここで、本実施形態の床見切り材３は、ステンレスを板金加工又はプレス加工し、裏面に帯状部材を溶接して作成されているが、必ずしもステンレスで作成する必要はなく、プラスチックを押出し成型あるいは射出成型することにより作成してもよい。
また、本実施形態の床見切り材３は、中空に形成されているが、その中空部分に、衝撃吸収性のパッキン材や木材などを挿入することにしてもよい。
【産業上の利用可能性】
【００２１】
独立住宅又は集合住宅の框、あるいは段差部のある床の接合部に利用できる。
【符号の説明】
【００２２】
１    玄関框
２    階段框
３    床見切り材
４    曲面部
５    曲線部分
６    直線部分
１０  天面部
１１  天面部の辺縁
１５  曲線部分の辺縁
１６  直線部分の辺縁
２０  見付け面部
２１  見付け面部の辺縁
２２  止着部
２３  係合部
３０  係止部
３１  壁面部
３２  板状部
３３  スロープ部
３７  蹴込板
３８  モルタル
３９  タイル
４０  土間
４１  基礎コンクリート
４２  パッキン材
４３  土台
４５  床下地材
４６  床仕上材
４９  ブチルゴムテープ
５０  芯材
【要約】
【課題】現場加工を施す必要がない上、床板との接合部分に隙間や段差が生じる恐れや、傷、変色、カビが生じる恐れがなく、構造が簡単で、軽量な上がり框及び見切り材を提供する。
【解決手段】L字状断面が形成された一対の平面部と、その断面の端部を構成する一の辺縁に沿ってその辺縁の内側に形成された係止部と、該端部を構成する他の辺縁に沿ってその辺縁から所定距離だけ離間させて形成された止着部とを備え、係止部及び止着部を土台又は床下地材に固定して中空に設置する一方、その床下地材に上張りする床仕上材を係止部に係止する。
【選択図】図４【図１】
0005385477.tif 000002
【図２】
0005385477.tif 000003
【図３】
0005385477.tif 000004
【図４】
0005385477.tif 000005
【図５】
0005385477.tif 000006
【図６】
0005385477.tif 000007
【図７】
0005385477.tif 000008
【図８】
0005385477.tif 000009
【図９】
0005385477.tif 000010
【図１０】
0005385477.tif 000011